(57)【要約】【課題】  本発明は、簡易な処理によって高精度に温度を検出できるようにする。【解決手段】  本発明は、温度信号生成部２からポータブルＭＤレコーダ１の内部における温度変化に対して電圧が非線形に変化するアナログの温度信号ＳＴを取得し、温度検出部３により当該温度信号ＳＴの電圧をディジタル温度値ＤＶに変換し、制御部４の制御に基づいた演算回路１６により、ディジタル温度値ＤＶの変動範囲を複数に分割した第１領域ＡＲ１〜第４領域ＡＲ４、低領域ＡＲＬ及び高領域ＡＲＨのうち、ディジタル電圧値ＤＶが属する領域を判定し、当該ディジタル電圧値ＤＶが属する領域に対応付けられ当該領域における電圧温度特性曲線ＳＲを近似した第１近似直線ＳＡ１〜第４近似直線ＳＡ４、低域特性直線ＳＡＬ又は高域特性直線ＳＡＨに対応した１次多項式を用いて、ディジタル電圧値ＤＶを基に検出温度値ＤＴを算出する。【選択図】        図３
2006258757.tif 000002
【特許請求の範囲】
【請求項１】
温度検出対象の温度変化に対して電圧が非線形に変化するアナログの温度信号を取得し、当該温度信号の電圧をディジタル値に変換するアナログディジタル変換部と、
上記ディジタル値の変動範囲を分割した複数の領域のうち、上記ディジタル値が属する領域を判定する領域判定部と、
上記ディジタル値が属する領域に対応付けられ当該領域における上記温度検出対象の温度と上記電圧との対応関係を近似した近似式を用いて、上記ディジタル値を基に上記温度検出対象の温度を算出する温度算出部と
を具えることを特徴とする温度検出装置。
【請求項２】
上記複数の領域は、
上記各近似式により近似可能な範囲毎にそれぞれ分割された
ことを特徴とする請求項１に記載の温度検出装置。
【請求項３】
上記近似式は１次多項式でなり、
上記温度算出部は、上記ディジタル値が属する領域に対応づけられた上記１次多項式に当該ディジタル値を代入することにより上記温度検出対象の温度を算出する
ことを特徴とする請求項１に記載の温度検出装置。
【請求項４】
上記アナログディジタル変換部は、
温度変化に対して抵抗値が非線形に変化する温度検出素子により所定の電源電圧を分圧した上記温度信号の供給を受けると共に、当該電源電圧を基準値として上記温度信号の電圧を上記ディジタル値に変換する
ことを特徴とする請求項１に記載の温度検出装置。
【請求項５】
温度検出対象の温度変化に対して電圧が非線形に変化するアナログの温度信号を取得し、当該温度信号の電圧をディジタル値に変換するアナログディジタル変換ステップと、
上記ディジタル値の変動範囲を分割した複数の領域のうち、上記ディジタル値が属する領域を判定する領域判定ステップと、
上記ディジタル値が属する領域に対応付けられ当該領域における上記温度検出対象の温度と上記電圧との対応関係を近似した近似式を用いて、上記ディジタル値を基に上記温度検出対象の温度を算出する温度算出ステップと
を具えることを特徴とする温度検出方法。
【請求項６】
温度検出装置に対して、
温度検出対象の温度変化に対して電圧が非線形に変化するアナログの温度信号を取得し、当該温度信号の電圧をディジタル値に変換するアナログディジタル変換ステップと、
上記ディジタル値の変動範囲を分割した複数の領域のうち、上記ディジタル値が属する領域を判定する領域判定ステップと、
上記ディジタル値が属する領域に対応付けられ当該領域における上記温度検出対象の温度と上記電圧との対応関係を近似した近似式を用いて、上記ディジタル値を基に上記温度の値を算出する温度算出ステップと
を実行させることを特徴とする温度検出プログラム。
【請求項７】
データを所定の記録媒体に記録し、及び又は当該記録媒体から当該データを読み出して再生するデータ記録再生装置であって、
上記データ記録再生装置内部の温度変化に応じて電圧が非線形に変化する温度信号を生成する温度信号生成部と、
上記温度信号の供給を受けて当該温度信号の電圧をディジタル値に変換するアナログディジタル変換部と、
上記ディジタル値の変動範囲を分割した複数の領域のうち、上記ディジタル値が属する領域を判定する領域判定部と、
上記ディジタル値が属する領域に対応付けられ当該領域における上記データ記録再生装置内部の温度と上記電圧との対応関係を近似した近似式を用いて、上記ディジタル値を基に上記温度の値を算出する温度算出部と
を具えることを特徴とするデータ記録再生装置。
【請求項８】
上記温度信号生成部は、
温度変化に応じて抵抗値が非線形に変化する温度検出素子により所定の電源電圧を分圧して上記温度信号を生成し、
上記アナログディジタル変換部は、
上記電源電圧を基準値として上記温度信号の電圧を上記ディジタル値に変換する
ことを特徴とする請求項７に記載のデータ記録再生装置。
【発明の詳細な説明】
【技術分野】
【０００１】
本発明はデータ記録再生装置に関し、例えばポータブルＭＤ（Mini Disc）レコーダに適用して好適なものである。
【背景技術】
【０００２】
従来、ポータブルＭＤレコーダにおいては、ＭＤメディアに対してオーディオ等のデータを記録し、又当該ＭＤメディアから当該データを読み出してオーディオを再生するようになされたものが広く普及している。
【０００３】
ポータブルＭＤレコーダは、いわゆる磁界変調オーバーライト方式を採用しており、データを記録する際、ＭＤメディアに対してレーザ光を照射することにより当該ＭＤメディアを加熱した状態で磁界を変調させることにより、当該ＭＤメディアに当該データを記録するようになされている。
【０００４】
またポータブルＭＤレコーダは、データを記録する際にＭＤメディアを加熱したときの熱や、電子部品の発熱等の影響により、時間の経過と共に内部の温度が変化する可能性が高い。またポータブルＭＤレコーダは、ユーザに持ち運ばれて様々な場所で使用されるため、その場所の温度に応じて当該ポータブルＭＤレコーダ内部の温度も様々に変化することになる。
【０００５】
ところでポータブルＭＤレコーダにおいては、レーザ光を発光するレーザダイオードの出力特性が周囲の温度変化に応じて変化してしまう。このためポータブルＭＤレコーダのなかには、温度センサを用いて温度を検出し、このとき検出した温度に応じて当該レーザダイオードにおけるレーザ光の出力レベルを制御することにより、正常にデータを記録し得るようになされたものが提案されている（例えば、特許文献１参照）。
【特許文献１】特開２００２−３２９３２０公報（第２頁）
【発明の開示】
【発明が解決しようとする課題】
【０００６】
ところで、かかる構成のポータブルＭＤレコーダにおいては、例えば温度センサの温度検出素子が温度に応じて抵抗値を変化させることを利用しており、当該抵抗値に応じた電圧をアナログディジタル変換することによりディジタル電圧値を生成し、当該ディジタル電圧値を温度値に換算して温度を認識するようになされている。
【０００７】
ここで、一般に温度検出素子の温度に対する抵抗値の特性は非線形となる。このためポータブルＭＤレコーダは、当該温度検出素子の抵抗値に応じたディジタル電圧値から温度値に換算する際、例えば４次多項式を用いた複雑な演算を行う必要があり、演算時の処理負荷が大きくなってしまうという問題があった。
【０００８】
本発明は以上の点を考慮してなされたもので、簡易な処理によって高精度に温度を検出し得る温度検出装置、温度検出方法、温度検出プログラム及びデータ記録再生装置を提案しようとするものである。
【課題を解決するための手段】
【０００９】
かかる課題を解決するため本発明においては、温度検出対象の温度変化に対して電圧が非線形に変化するアナログの温度信号を取得し、当該温度信号の電圧をディジタル値に変換し、ディジタル値の変動範囲を分割した複数の領域のうち、ディジタル値が属する領域を判定し、ディジタル値が属する領域に対応付けられ当該領域における温度検出対象の温度と電圧との対応関係を近似した近似式を用いて、ディジタル値を基に温度の値を算出するようにした。
【００１０】
これにより、アナログの温度信号を変換したディジタル値に応じて、当該ディジタル値が属する領域毎に近似された近似式を用いることができ、当該ディジタル値を基に簡易な近似演算によって、温度検出対象の温度と電圧との対応関係をそのまま用いた場合とほぼ同等の温度の値を算出することができる。
【００１１】
また本発明のデータ記録再生装置においては、データを所定の記録媒体に記録し、及び又は当該記録媒体から当該データを読み出して再生するデータ記録再生装置であって、データ記録再生装置内部の温度変化に応じて電圧が非線形に変化する温度信号を生成する温度信号生成部と、温度信号の供給を受けて当該温度信号の電圧をディジタル値に変換するアナログディジタル変換部と、ディジタル値の変動範囲を分割した複数の領域のうち、ディジタル値が属する領域を判定する領域判定部と、ディジタル値が属する領域に対応付けられ当該領域におけるデータ記録再生装置内部の温度と電圧との対応関係を近似した近似式を用いて、ディジタル値を基に温度の値を算出する温度算出部とを設けるようにした。
【００１２】
これにより、アナログの温度信号を変換したディジタル値に応じて、当該ディジタル値が属する領域毎に近似された近似式を用いることができ、当該ディジタル値を基に簡易な近似演算によって、データ記録再生装置内部の温度と電圧との対応関係をそのまま用いた場合とほぼ同等の温度の値を算出することができる。
【発明の効果】
【００１３】
本発明によれば、アナログの温度信号を変換したディジタル値に応じて、当該ディジタル値が属する領域毎に近似された近似式を用いることができ、当該ディジタル値を基に簡易な近似演算によって、温度検出対象及びデータ記録再生装置内部の温度と電圧との対応関係をそのまま用いた場合とほぼ同等の温度の値を算出することができるので、かくして簡易な処理によって高精度に温度を検出し得る温度検出装置、温度検出方法、温度検出プログラム及びデータ記録再生装置を実現できる。
【発明を実施するための最良の形態】
【００１４】
以下、図面について、本発明の一実施の形態を詳述する。
【００１５】
（１）ポータブルＭＤレコーダの構成
図１において、データ記録再生装置としてのポータブルＭＤ（Mini Disc）レコーダ１は、図示しないＭＤメディアに対してオーディオ等のデータを記録し、また当該ＭＤメディアから当該データを読み出してオーディオを再生し得るようになされている。
【００１６】
ポータブルＭＤレコーダ１は、一般的なＭＤレコーダと同様にいわゆる磁界変調オーバーライト方式を採用しており、データを記録する際、ＭＤメディアに対してレーザ光を照射し当該ＭＤメディア加熱した状態で磁界を変調することにより、当該ＭＤメディアに当該データを記録するようになされている。
【００１７】
ポータブルＭＤレコーダ１は、当該ポータブルＭＤレコーダ１内部の温度を検出するべく、温度信号生成部２により当該ポータブルＭＤレコーダ１内部の温度に応じた温度信号ＳＴ（詳しくは後述する）を生成し、これを温度検出部３へ供給する。
【００１８】
温度検出部３は、制御部４によって制御されている。制御部４は、ＣＰＵ（Central Processing Unit）５を中心に構成されており、当該ＣＰＵ５がＲＯＭ（Read Only Memory）６から読み出した基本プログラムや検出温度値算出プログラム等の各種アプリケーションプログラムをＲＡＭ（Random Access Memory）７に展開して実行するようになされている。
【００１９】
温度信号生成部２は、所定の抵抗値を有する分圧抵抗１０と温度に応じて抵抗値が変化するサーミスタ１１とが接続点Ｐにおいて接続された構成を有しており、当該サーミスタ１１の接続点Ｐと反対側が接地されると共に、当該分圧抵抗１０の接続点Ｐと反対側に電源電圧Ｖｃｃが印加されるようになされている。
【００２０】
実際上サーミスタ１１は、分圧抵抗１０等と同様、ポータブルＭＤレコーダ１に内蔵された基板上に設けられているため、当該ポータブルＭＤレコーダ内部の温度に応じて抵抗値が変化する。
【００２１】
温度信号生成部２は、電源電圧Ｖｃｃを分圧抵抗１０とサーミスタ１１とにより分圧するようになされているものの、サーミスタ１１の抵抗値が温度に応じて変化することにより当該サーミスタ１１と当該分圧抵抗１０との分圧比が変化するため、当該サーミスタ１１の温度に応じて接続点Ｐにおける電圧を変化させることになる。
【００２２】
ここで図２に示すように、接続点Ｐにおける電圧とサーミスタ１１の温度との関係を表す電圧温度特性曲線ＳＲは、当該サーミスタ１１の温度の上昇と共に当該接続点Ｐにおける電圧が一様に低下しており、また−１０［℃］〜６０［℃］の範囲内においてサーミスタ１１の温度と接続点Ｐにおける電圧とが１対１に対応している。
【００２３】
この電圧温度特性曲線ＳＲは非線形であり、例えば温度を変数ｙとし、電圧を変数ｘとした次式
【００２４】
【数１】
2006258757.tif 000003
【００２５】
によって表される。
【００２６】
温度信号生成部２は、電源電圧Ｖｃｃを分圧抵抗１０とサーミスタ１１とにより分圧し、一端が接地されたコンデンサ１２をローパスフィルタとして機能させることにより、接続点Ｐを流れる信号に含まれる不要な高周波成分を除去して温度信号ＳＴとし、当該温度信号ＳＴを温度検出部３のＡ／Ｄ（Analog/Digital）変換器１３へ供給する。
【００２７】
Ａ／Ｄ変換器１３は、分圧抵抗１０と同等の電源電圧Ｖｃｃが印加されており、当該電源電圧Ｖｃｃを基準電圧として温度信号ＳＴの電圧を基に２５６ステップのディジタル電圧値ＤＶに変換し、当該ディジタル電圧値ＤＶを制御部４へ供給する。
【００２８】
ここで温度信号ＳＴの電圧は、サーミスタ１１の温度を温度電圧特性曲線ＳＲに基づいて変換されたものである。このため当該ディジタル電圧値ＤＶは、サーミスタ１１の温度を間接的にディジタル値で表したものとなる。
【００２９】
このようにＡ／Ｄ変換器１３は、温度信号ＳＴを基に当該サーミスタ１１の温度に応じたディジタル電圧値ＤＶを生成し、これを制御部４へ供給するようになされている。
【００３０】
これに応じて制御部４は、ディジタル電圧値ＤＶをレジスタ１５に記憶させる。また制御部４は、ディジタル電圧値ＤＶをレジスタ１５から読み出し、これを演算回路１６へ供給する。
【００３１】
演算回路１６は、ディジタル電圧値ＤＶを基に、ディジタル値で温度を表すディジタル温度値ＤＴを生成するようになされている。このとき演算回路１６は、図３に示すように、温度電圧特性曲線ＳＲ（図２）を複数の１次多項式の組み合わせによって（すなわち折れ線状に）近似した近似特性曲線ＳＡに従い、当該ディジタル電圧値ＤＶを基に検出温度値ＤＴを算出するようになされている。
【００３２】
ここで演算回路１６は、ディジタル電圧値ＤＶが変動し得る範囲（０〜２５５）を低領域ＡＲＬ（０〜４５に相当）、第１領域ＡＲ１（４６〜７３に相当）、第２領域ＡＲ２（７４〜１２６に相当）、第３領域ＡＲ３（１２７〜１９８に相当）、第４領域ＡＲ４（１９９〜２２１に相当）及び高領域ＡＲＨ（２２２〜２５５に相当）の６の領域に分割している。
【００３３】
演算回路１６は、近似特性曲線ＳＡのうち第１領域ＡＲ１に属する部分を１次多項式でなる次式
【００３４】
【数２】
2006258757.tif 000004
【００３５】
によって表される第１近似特性直線ＳＡ１としている。ここで変数ｙは検出温度値ＤＴに対応しており、また変数ｘはディジタル電圧値ＤＶに対応している。
【００３６】
同様に演算回路１６は、近似特性曲線ＳＡのうち第２領域ＡＲ２に属する部分を１次多項式でなる次式
【００３７】
【数３】
2006258757.tif 000005
【００３８】
によって表される第２近似特性直線ＳＡ２とし、第３領域ＡＲ３に属する部分を１次多項式でなる次式
【００３９】
【数４】
2006258757.tif 000006
【００４０】
によって表される第３近似特性直線ＳＡ３とし、第４領域ＡＲ４に属する部分を１次多項式でなる次式
【００４１】
【数５】
2006258757.tif 000007
【００４２】
によって表される第４近似特性直線ＳＡ４としている。
【００４３】
また演算回路１６は、近似特性曲線ＳＡのうち低領域ＡＲＬに属する部分を次式
【００４４】
【数６】
2006258757.tif 000008
【００４５】
によって表される低域特性直線ＳＡＬとし、高領域ＡＲＨに属する部分を次式
【００４６】
【数７】
2006258757.tif 000009
【００４７】
によって表される高域特性直線ＳＡＨとしている。
【００４８】
ちなみに演算回路１６は、−１０［℃］未満及び６０［℃］以上の場合、いずれもポータブルＭＤレコーダ１の正常動作範囲外であり、−１０［℃］未満であること又は６０［℃］以上であることのみが検出できれば良く、正確な温度を算出する必要が無いため、低領域ＡＲＬ及び高領域ＡＲＨでは、（６）式及び（７）式のようにいずれも定数によって低域特性直線ＳＡＬ及び高域特性直線ＳＡＨを表している。
【００４９】
また演算回路１６は、内部に不揮発メモリ（図示せず）を有しており、当該不揮発性メモリに（２）式〜（７）式が予め記憶されるようになされている。
【００５０】
ここで、第１領域ＡＲ１〜第４領域ＡＲ４について、近似特性曲線ＳＡ（実線で示す）を電圧温度特性曲線ＳＲ（破線で示す）に重ね合わせて図４に示す。この図４において、各ディジタル電圧値ＤＶにおける近似特性曲線ＳＡと電圧温度特性曲線ＳＲとの差分ＤＩＦは、±１［℃］の範囲内に収まっている。すなわち近似特性曲線ＳＡは、第１領域ＡＲ１〜第４領域ＡＲ４において、電圧温度特性曲線ＳＲに対して非常に精度良く近似されている。
【００５１】
実際上演算回路１６は、制御部４からディジタル電圧値ＤＶが供給されると、まず当該供給された電圧値ＤＶがいずれの領域に属するかを判定する。次に演算回路１６は、その判定結果に応じて上記（２）式〜（７）式のいずれか１つを選択し、選択した式にディジタル電圧値ＤＶ（すなわち変数ｘ）を適用することにより検出温度値ＤＴ（すなわち変数ｙ）を算出し、当該検出温度値ＤＴを制御部４へ送出する。
【００５２】
このように演算回路１６は、ディジタル電圧値ＤＶの値に応じて選択した１次多項式を用いることにより、高精度に近似された検出温度値ＤＴを算出するようになされている。
【００５３】
制御部４は、演算回路１６から供給された検出温度値ＤＴをレジスタ１５に記憶させるようになされている。また制御部４は、レーザ駆動回路１７（図１）又は充電回路１８からの要求に応じて、レジスタ１５から検出温度値ＤＴを読み出し、これを当該レーザ駆動回路１７又は充電回路１８へ送出するようになされている。
【００５４】
レーザ駆動回路１７は、制御部４から供給された検出温度値ＤＴに応じて、ＭＤメディア（図示せず）に照射するレーザ光のパワーを制御するようになされている。これによりポータブルＭＤレコーダ１は、当該ＭＤメディアに対してデータを記録する場合に、当該レーザ光によってＭＤメディアを加熱したときの温度を高精度に調整することができ、当該データを高品位に記録することができる。
【００５５】
またポータブルＭＤレコーダ１は、図示しない充電池に対して充電を行う際、当該充電池の性質により、そのときの温度に合わせた適切な充電電流を供給する必要がある。例えばポータブルＭＤレコーダ１は、０［℃］から４５［℃］の範囲内では通常の充電電流を供給すればよいが、０［℃］未満の場合には通常と異なる充電電流を供給する必要があり、また４５［℃］以上の場合には充電を停止する必要がある。
【００５６】
そこで場合充電回路１８は、制御部４から供給された検出温度値ＤＴに応じて、充電池に供給する充電電流の大きさや当該充電電流の供給又は停止の切り換えを制御するようになされており、この結果、当該充電池を適切に充電することができる。
【００５７】
（２）検出温度値算出処理手順
次に、温度検出部３の制御部４が検出温度値ＤＴを算出する際の検出温度値算出処理手順ＲＴ１（図５）について説明する。
【００５８】
ポータブルＭＤレコーダ１は、例えばユーザの操作指示等に基づいてＭＤメディア（図示せず）にデータを記録する場合、制御部４に所定のデータ記録プログラムを実行させるようになされている。このとき制御部４のＣＰＵ５は、このデータ記録プログラムに従い、そのときの検出温度値ＤＴを取得すべく、ＲＯＭ６から温度検出プログラムとしての検出温度値算出プログラムを読み出し、これをＲＡＭ７に展開して実行する。
【００５９】
実際上制御部４のＣＰＵ５は、検出温度値算出処理手順ＲＴ１に従い、開始ステップから入ってステップＳＰ１へ移る。ステップＳＰ１において制御部４のＣＰＵ５は、温度信号生成部２（図１）から供給された温度信号ＳＴを取得し、次のステップＳＰ２へ移る。
【００６０】
ステップＳＰ２において制御部４のＣＰＵ５は、Ａ／Ｄ変換器１３によって温度信号ＳＴの電圧をディジタル電圧値ＤＶに変換させ、当該ディジタル電圧値ＤＶをレジスタ１５に記憶させて、次のステップＳＰ３へ移る。
【００６１】
ステップＳＰ３において制御部４のＣＰＵ５は、ディジタル電圧値ＤＶを演算回路１６へ供給し、当該演算回路１６によって当該ディジタル電圧値ＤＶが第１領域ＡＲ１〜第４領域ＡＲ４、低領域ＡＲＬ又は高領域ＡＲＨ（図３）のいずれの領域に属するかを判定し、次のステップＳＰ４へ移る。
【００６２】
ステップＳＰ４において制御部４のＣＰＵ５は、ステップＳＰ３において判定された領域に対応した１次式、すなわち（２）式〜（７）式のいずれかを用いて、ディジタル電圧値ＤＶを基に検出温度値ＤＴを算出し、これをレジスタ１５に記憶させた後、次のステップＳＰ５へ移って当該検出温度値算出処理手順ＲＴ１を終了する。
【００６３】
その後制御部４は、データ記録プログラムに従い、検出温度値ＤＴをレジスタ１５から読み出し当該検出温度値ＤＴに基づいてＭＤメディアに照射するレーザパワーを制御するようになされている。また当該制御部４は、当該データ記録プログラムに従い、例えば１０秒毎のように定期的に検出温度値算出プログラムを呼び出して検出温度値ＤＴを算出し、定期的にレーザパワーを制御するようになされている。
【００６４】
また制御部４は、例えばユーザの操作指示等に基づいて充電池（図示せず）に充電する場合、所定の充電プログラムを実行するようになされており、上述したデータ記録プログラムの場合と同様、この充電プログラムの中で検出温度値算出プログラムを呼び出すことにより、検出温度値算出処理手順ＲＴ１に従ってそのときの検出温度値ＤＴを取得するようになされている。
【００６５】
その後制御部４は、充電プログラムに従い、検出温度値ＤＴをレジスタ１５から読み出し当該検出温度値ＤＴに基づいて充電電流を制御する。また当該制御部４は、充電プログラムに従い、例えば１分毎のように定期的に検出温度値算出プログラムを呼び出して検出温度値ＤＴを算出し、定期的に充電電流を制御するようになされている。
【００６６】
（３）動作及び効果
以上の構成において、ポータブルＭＤレコーダ１（図１）の温度検出部３は、温度信号生成部２において生成した温度信号ＳＴをＡ／Ｄ変換器１３によってディジタル電圧値ＤＶに変換してから、制御部４の制御に基づき演算回路１６によって当該ディジタル電圧値ＤＶの属する領域を判定し、このとき判定された領域の近似特性曲線ＳＡ（図３）を近似した１次多項式を用いて検出温度値ＤＴを算出する。
【００６７】
従って温度検出部３は、温度信号生成部２から供給された温度信号ＳＴを用いて１次多項式を演算するだけで、４次多項式を用いる場合と比較して格段に簡易な演算処理によって検出温度値ＤＴを算出することができるので、処理負荷を抑えることができると共に当該検出温度値ＤＴを短時間で算出することができる。
【００６８】
このとき温度検出部３は、演算回路１６において、本来４次多項式によって表す電圧温度特性曲線ＳＲを１次多項式によって近似しているものの、予め分割した領域毎にそれぞれ電圧温度特性曲線ＳＲに最も近似した１次多項式を用いているため、各領域において誤差を±１［℃］以内（図４）のように極めて小さく抑えることができ、検出温度値ＤＴを高精度に算出することができる。
【００６９】
また温度検出部３は、上述した（２）式〜（５）式を表す４種類の１次多項式と、（６）式及び（７）式を表す２種類の定数とのみを記憶していれば良いので、例えばディジタル電圧値ＤＶと検出温度値ＤＴとの対応テーブルを記憶するようにした場合と比較して、必要な記憶容量を格段に小さく抑えることができる。
【００７０】
ところでポータブルＭＤレコーダ１においては、個体毎にサーミスタ１１の抵抗値のばらつき、電源電圧のばらつき、Ａ／Ｄ変換器１３における変換精度のばらつき等が生じる可能性がある。そこで、当該ポータブルＭＤレコーダ１において各部品のばらつきを考慮した場合の、検出温度値ＤＴとサーミスタ１１の温度の誤差をシミュレートした結果を図６に示す。
【００７１】
図６において、−１０［℃］から６０［℃］の範囲で基準ＲＥＦに対して平均値ＡＶＲが良く一致しており、また検出温度値ＤＴにおけるばらつきの上限値ＵＬ及び下限値ＬＬに挟まれた誤差幅ＥＲも温度変化に拘わらずほとんど広らないことが示されている。このため温度検出部３は、温度に拘わらず高精度に検出温度値ＤＴを算出することができる。
【００７２】
また温度信号生成部２は、分圧抵抗１０とサーミスタ１１との抵抗値の比に応じて電源電圧Ｖｃｃを分圧している。このため温度信号生成部２は、温度が一定でサーミスタ１１の抵抗値が一定であっても、仮に当該電源電圧Ｖｃｃが変動した場合、接続点Ｐにおける電圧、すなわち温度信号ＳＴの電圧を変動させることになる。
【００７３】
しかしながら温度検出部３のＡ／Ｄ変換器１３は、分圧抵抗１０と同一の電源電圧Ｖｃｃを基に２５６ステップのディジタル電圧値ＤＶに変換するため、変動後の電源電圧Ｖｃｃを基に電圧変動後の温度信号ＳＴをディジタル電圧値ＤＶに変換することになり、電圧変動前後で同一のディジタル電圧値ＤＶに変換する。
【００７４】
すなわち温度検出部３は、Ａ／Ｄ変換器１３によって、電源電圧Ｖｃｃの変動に拘わらず、常にサーミスタ１１の温度に応じたディジタル電圧値ＤＶを得ることができ、この結果演算回路１６においてサーミスタ１１の実際の温度に対する誤差が非常に小さい検出温度値ＤＴを算出することができる。
【００７５】
また、従来のポータブルＭＤレコーダ（図示せず）は、ＩＣ（Integrated Circuit）等に組み込まれた、電源電圧Ｖｃｃと異なる他の基準電圧を基に温度信号を生成する温度信号生成部を有している。
【００７６】
実際上、従来のポータブルＭＤレコーダは、個体毎に電源電圧がばらつくため、その製造時に、当該ばらついた電源電圧に合わせて温度信号生成部のオフセット調整を必要としていた。また従来のポータブルＭＤレコーダは、製造時における調整精度の制約等により、オフセット調整が必ずしも正確に行われていない場合があり、個体によって検出温度値ＤＴの精度がばらつく可能性もあった。
【００７７】
これに対して本発明のポータブルＭＤレコーダ１（図１）は、上述したように温度検出部３のＡ／Ｄ変換器１３が分圧抵抗１０と同一の電源電圧Ｖｃｃを基にＡ／Ｄ変換を行うため、検出温度値ＤＴに対して電源電圧のばらつきの影響を及ぼさずに済む。すなわち本発明のポータブルＭＤレコーダ１は、製造時のオフセット調整を必要としないため、製造工程を簡略化することができ、また個体毎に検出温度値ＤＴの精度がばらつくことを未然に防止できる。
【００７８】
さらに、従来の温度信号生成部と接続された従来の温度検出部における検出温度値ＤＴの誤差幅ＥＲ２を図７に示す。図７において、検出温度値ＤＴのばらつきの上限値ＵＬ２及び下限値ＬＬ２（図中破線で示す）に挟まれた従来の誤差幅ＥＲ２は、実際の温度が約２５［℃］から離れるに連れて広がっている。すなわち従来の温度検出部は、実際の温度により当該検出温度値ＤＴの精度が低下する場合があった。
【００７９】
これに対して本発明の温度検出部３における検出温度値ＤＴの場合、図７に示したように、上限値ＵＬ及び下限値ＬＬ（図中実線で示す）に挟まれた誤差幅ＥＲは、実際の温度に拘わらずほぼ一定となっており、また従来の温度信号生成部を用いた場合の誤差幅ＥＲ２よりも狭い状態を保っている。
【００８０】
すなわち本発明の温度検出部３（図１）は、サーミスタ１１を用いた温度信号生成部２と接続されているため、実際の温度に拘わらず従来の温度検出部よりも誤差を小さく抑えることができ、常に高精度な検出温度値ＤＴを得ることができる。
【００８１】
かくしてポータブルＭＤレコーダ１は、検出温度値ＤＴを高精度に算出することができるので、例えばＭＤメディアにデータを記録する際に、当該検出温度値ＤＴに基づいて当該ＭＤメディアに照射するレーザパワーを適正に調整することができ、また充電池に充電する際に、当該検出温度値ＤＴに基づいた適切な充電電流を当該充電池に供給して温度に合わせた充電を行うことができる。
【００８２】
以上の構成によれば、ポータブルＭＤレコーダ１の温度検出部３は、温度信号生成部２において生成した温度信号ＳＴをＡ／Ｄ変換器１３によってディジタル電圧値ＤＶに変換してから、制御部４の制御に基づき演算回路１６によって当該ディジタル電圧値ＤＶが属する領域を判定し、近似特性曲線ＳＡ（図３）のうち判定された領域を近似した１次多項式を用いて検出温度値ＤＴを算出することにより、演算時の処理負荷を抑えながら高精度に温度を検出することができる。
【００８３】
（４）他の実施の形態
なお上述の実施の形態においては、ディジタル電圧値ＤＶが変動し得る範囲の分割数を６とするようにした場合について述べたが、本発明はこれに限らず、当該分割数を３や８等の任意の数としても良く、分割後の各領域において温度電圧特性曲線ＳＲを１次多項式により精度良く近似できれば良い。
【００８４】
また上述の実施の形態においては、サーミスタ１１を用いた温度信号生成部２の温度電圧特性曲線ＳＲ（図２）が４次多項式により表される場合について述べたが、本発明はこれに限らず、例えば温度電圧特性曲線が３次多項式や指数関数等の任意の関数やそれらの組み合わせ等によって表される場合でも良く、要は接続点Ｐにおける電圧とサーミスタ１１の温度とが１対１に対応していれば良い。
【００８５】
さらに上述の実施の形態においては、第１領域ＡＲ１〜第４領域ＡＲ４において温度電圧特性曲線ＳＲを（２）式〜（５）式の１次多項式によって近似するようにした場合について述べたが、本発明はこれに限らず、検出温度値ＤＴを算出する際の負荷が高くならない範囲で、当該温度電圧特性曲線ＳＲを例えば２次多項式や指数関数等によって近似するようにしても良い。この場合、領域毎に近似式の次数や種類が異なるようにしても良い。また低領域ＡＲＬ及び高領域ＡＲＨにおいて、近似特性曲線ＳＡをそれぞれ定数とする以外にも、それぞれ１次多項式等によって近似するようにしても良い。
【００８６】
さらに上述の実施の形態においては、第１領域ＡＲ１〜第４領域ＡＲ４において１次多項式を用いて検出温度値ＤＴを算出し、低領域ＡＲＬ及び高領域ＡＲＨにおいて検出温度値ＤＴを定数とするようにした場合について述べたが、本発明はこれに限らず、例えば一部の領域のみにおいて、ディジタル電圧値ＤＶと検出温度値ＤＴとの対応テーブルを予め作成して不揮発メモリ等に記憶させておき、当該対応テーブルを用いてディジタル電圧値ＤＶに基づいた検出温度値ＤＴを取得するようにしても良い。
【００８７】
この場合、対応テーブルに記憶させておくディジタル電圧値ＤＶの範囲に応じて必要な不揮発メモリの容量が変化するため、例えば１次多項式による近似が困難な領域や非常に高精度な検出温度値ＤＴが必要な領域のみで当該対応テーブルを用いる等、不揮発メモリの容量を極力抑えるようにすると良い。
【００８８】
さらに上述の実施の形態においては、制御部４がデータ記録プログラム及び充電プログラムから検出温度値算出プログラムを呼び出すようにした場合について述べたが、本発明はこれに限らず、例えばＭＤメディアからデータを読み出して再生するためのデータ再生プログラムや、当該ＭＤメディアに記録されたデータを編集するデータ編集プログラム等の他のプログラムから当該検出温度算出プログラムを呼び出すようにしても良い。
【００８９】
さらに上述の実施の形態においては、温度信号生成部２においてサーミスタ１１を用いるようにした場合について述べたが、本発明はこれに限らず、当該温度信号生成部２においてサーミスタ１１に代えて熱電対や測温抵抗体等の温度検出素子を用いたり、或いは当該温度信号生成部２に代えて赤外線や磁気を介して温度信号を生成する温度信号生成部を用いるようにしても良い。
【００９０】
さらに上述の実施の形態においては、温度信号生成部２の分圧抵抗１０と温度検出部３のＡ／Ｄ変換器１３に同一の電源電圧Ｖｃｃを印加するようにした場合について述べたが、本発明はこれに限らず、当該分圧抵抗１０と当該Ａ／Ｄ変換器１３とにそれぞれ異なる電圧を印加するようにしても良い。
【００９１】
さらに上述の実施の形態においては、温度検出部３において、ハードウェアによって構成された制御部４、レジスタ１５及び演算回路１６を用いるようにした場合について述べたが、本発明はこれに限らず、例えば制御部４のＣＰＵ５に所定のプログラムを実行させることにより当該レジスタ１５及び演算回路１６に相当する処理を当該制御部４に実行させるようにしても良い。
【００９２】
さらに上述の実施の形態においては、本発明をポータブルＭＤレコーダ１に適用するようにした場合について述べたが、これに限らず、例えば据え置き型のＭＤレコーダやＤＶＤ（Digital Versatile Disc）レコーダ等、ビデオやオーディオ等のデータを光ディスク等の記録媒体に記録し、また当該記録媒体から当該データを読み出して再生すると共に温度を検出する機能を有する種々のデータ記録再生機器に適用するようにしても良い。
【００９３】
さらに上述の実施の形態においては、アナログディジタル変換部としてのＡ／Ｄ変換器１３と、領域判定部及び温度算出部としての制御部４及び演算回路１６とによって温度検出装置としての温度検出部３を構成する場合について述べたが、本発明はこれに限らず、その他種々の回路構成でなるアナログディジタル変換部と、領域判定部と、温度算出部とによって温度検出装置を構成するようにしても良い。
【産業上の利用可能性】
【００９４】
本発明は、ポータブルＭＤレコーダや据え置き型のＤＶＤプレーヤ等でも利用できる。
【図面の簡単な説明】
【００９５】
【図１】本発明の一実施の形態によるポータブルＭＤレコーダの構成を示すブロック図である。
【図２】サーミスタの電圧温度特性を示す略線図である。
【図３】電圧温度特性の１知事式による近似の説明に供する略線図である。
【図４】近似特性曲線と電圧温度特性曲線との差分を示す略線図である。
【図５】検出温度値算出処理手順を示すフローチャートである。
【図６】検出温度値の誤差（１）を示す略線図である。
【図７】検出温度値の誤差（２）を示す略線図である。
【符号の説明】
【００９６】
１……ポータブルＭＤレコーダ、２……温度信号生成部、３……温度検出部、４……制御部、５……ＣＰＵ、１０……分圧抵抗、１１……サーミスタ、１３……Ａ／Ｄ変換器、１５……レジスタ、１６……演算回路、ＳＴ……温度信号、ＤＶ……ディジタル電圧値。
【図１】
2006258757.tif 000010
【図２】
2006258757.tif 000011
【図３】
2006258757.tif 000012
【図４】
2006258757.tif 000013
【図５】
2006258757.tif 000014
【図６】
2006258757.tif 000015
【図７】
2006258757.tif 000016